(57)【要約】【課題】排泄部対向部における吸収性と後方部における柔軟性とを兼ね備え、装着時にヨレて壊れずに安定的に吸収可能であり、後ろ漏れを確実に防止することができる吸収性物品を提供すること。【解決手段】吸収性物品の前後方向に長い形状の吸収性コア４を備え、着用者の液排泄部に対向配置される排泄部対向部Ｂ及びそれより後方に配される後方部Ｃを有する吸収性物品１であり、吸収性コア４は、排泄部対向部Ｂの幅方向中央部に前方中高領域４１、後方部Ｃの幅方向中央部に後方中高領域４２を有し、前方中高領域４１及び後方中高領域４２は、それぞれ、吸収性コアの周辺領域４３における厚みよりも厚みが厚く、それぞれ、吸収性コアの幅方向Ｙに延びる溝部４４によって分割され、吸収性コア４の長手方向Ｘに沿って並んだ複数の小吸収部４５，４７が形成されており、後方中高領域４２の小吸収部４８の長さｃが、前方中高領域４１の小吸収部４５の長さｂより短い。【選択図】図２
2015097715.tif 000002
【特許請求の範囲】
【請求項１】
吸収性物品の前後方向に長い形状の吸収性コアを備え、着用者の液排泄部に対向配置される排泄部対向部及び該排泄部対向部より後方に配される後方部を有する吸収性物品であって、
前記吸収性コアは、前記排泄部対向部における幅方向の中央部に前方中高領域を有するとともに、前記後方部における幅方向の中央部に後方中高領域を有しており、
前記前方中高領域及び前記後方中高領域は、それぞれ、吸収性コアの周辺領域における厚みよりも厚みが厚く、それぞれ、該吸収性コアの幅方向に延びる溝部によって分割され、該吸収性コアの長手方向に沿って並んだ複数の小吸収部が形成されており、
前記後方中高領域における前記小吸収部の前記長手方向における長さが、前記前方中高領域における前記小吸収部の該長手方向における長さよりも短い、吸収性物品。
【請求項２】
前記吸収性コアは、前記前方中高領域の溝部、前記後方中高領域の溝部、及び長手方向に関して該前方中高領域と該後方中高領域との間の中間領域の何れによっても分断されていない連続層を備えている、請求項１に記載の吸収性物品。
【請求項３】
前記前方中高領域及び前記後方中高領域は、それぞれ、前記溝部における、前記吸収性コアの形成材料の坪量が、前記小吸収部における、該吸収性コアの形成材料の坪量よりも低い、請求項１又は２に記載の吸収性物品。
【請求項４】
前記後方中高領域における前記小吸収部の面積の平均が、前記前方中高領域における前記小吸収部の面積の平均よりも小さい、請求項１〜３の何れか１項に記載の吸収性物品。
【請求項５】
前記吸収性コアの長手方向における前記前方中高領域と前記後方中高領域との間に、該吸収性コアの長手方向の長さが、前記前方中高領域の溝部及び前記後方中高領域の溝部それぞれよりも該長手方向の方向の長さより長く、厚みが、前記吸収性コアの周辺領域における厚みと同等の中間領域が形成されている、請求項１〜４の何れか１項に記載の吸収性物品。
【請求項６】
前記中間領域に、前記吸収性コアの幅方向に延在する折り曲げ誘導部が形成されている、請求項５に記載の吸収性物品。
【請求項７】
前記前方中高領域に、前記吸収性コアの長手方向に延びる溝部が形成されており、該溝部によって、前記前方中高領域における前記小吸収部が、吸収性コアの幅方向に分割されている、請求項１〜６の何れか１項に記載の吸収性物品。
【請求項８】
前記後方中高領域には、前記吸収性コアの長手方向に延びる溝部が形成されていない、請求項１〜７の何れか１項に記載の吸収性物品。
【請求項９】
前記前方中高領域を挟んでその両側に、吸収性コアの幅方向の外方に膨出する側方膨出部が形成されている、請求項１〜８の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、就寝時の使用に適した夜用の生理用ナプキンのように、着用者の前後方向に沿う長手方向の長さが長い吸収性物品においては、着用者の肌との隙間があると、就寝姿勢において、液が肌の表面を伝って臀部に流れてしまい、液漏れにつながる場合があった。
そのため、吸収性物品の吸収体に部分的に厚みの厚い中高部を形成して、肌対向面に隆起部を形成させることによって、身体に対するフィット性を高める技術が知られている。しかし、吸収体の坪量を部分的に高めて隆起部を形成した場合には、隆起部の剛性が高く、折れ曲がり難かったり、一か所で強く折れ曲がる等によって、着用者の肌との間に却って隙間が生じ易くなる場合もあった。
また、特許文献１には、吸収体に形成した中高部を前後に分割して身体との間の隙間を減らすことが提案されているが、臀部にフィットさせるための柔軟性としては不十分であった。また、フィット性を高めるために、臀部対応領域において吸収体をブロック化することが提案されているが、吸収体を単層で形成した場合、柔軟すぎて、装着中のヨレにより吸収体のブロック同士が分離して、漏れが生じる懸念があった。
【先行技術文献】
【特許文献】
【０００３】
【特許文献１】特開２００６−２３９１６２号公報
【特許文献２】特開２０１２−１４３５３５号公報
【発明の概要】
【発明が解決しようとする課題】
【０００４】
したがって本発明の課題は、前述した従来技術が有する欠点を解消し得る吸収性物品を提供することにある。
【課題を解決するための手段】
【０００５】
本発明は、吸収性物品の前後方向に長い形状の吸収性コアを備え、着用者の液排泄部に対向配置される排泄部対向部及び該排泄部対向部より後方に配される後方部を有する吸収性物品であって、前記吸収性コアは、前記排泄部対向部における幅方向の中央部に前方中高領域を有するとともに、前記後方部における幅方向の中央部に後方中高領域を有しており、前記前方中高領域及び前記後方中高領域は、それぞれ、吸収性コアの周辺領域における厚みよりも厚みが厚く、それぞれ、該吸収性コアの幅方向に延びる溝部によって分割され、該吸収性コアの長手方向に沿って並んだ複数の小吸収部が形成されており、前記後方中高領域における前記小吸収部の前記長手方向における長さが、前記前方中高領域における前記小吸収部の該長手方向における長さよりも短い、吸収性物品を提供するものである。
【発明の効果】
【０００６】
本発明の吸収性物品によれば、排泄部対向部における吸収性と後方部における柔軟性とを兼ね備え、装着時にヨレて壊れずに安定的に吸収可能であり、後ろ漏れを確実に防止することができる。
【図面の簡単な説明】
【０００７】
【図１】図１は、本発明の第１実施形態である生理用ナプキンを示す斜視図である。
【図２】図２は、図１の生理用ナプキンの吸収性コアを示す斜視図である。
【図３】図３は、図１のＩＩＩ−ＩＩＩ線断面図である。
【図４】図４は、図１のＩＶ−ＩＶ線断面図である。
【図５】図５は、図１の生理用ナプキンの着用状態における吸収性コアの変形状態を示す模式断面図である。
【図６】図６（ａ）及び図６（ｂ）は、図１に示す生理用ナプキンの吸収性コアの製造に好ましく使用される積繊ドラムの周方向に沿う断面を示す模式図であり、図６（ａ）は、集積用凹部に、吸収性コアの形成材料が堆積する前の状態、図６（ｂ）は、集積用凹部に、吸収性コアの形成材料が堆積した状態を示す図である。
【図７】図７（ａ）〜（ｃ）は、本発明の他の実施形態における吸収性コアを示す平面図である。
【発明を実施するための形態】
【０００８】
以下本発明を、その好ましい実施形態に基づき図面を参照しながら説明する。
本発明の吸収性物品の第１実施形態としての生理用ナプキン１（以下、単にナプキン１ともいう）は、就寝時の使用に適した夜用のナプキンである。全長が３０ｃｍ以上のものが好適である。
ナプキン１は、図１に示すように、前後方向に長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。
ナプキン１は、その前後方向Ｘに、前方部Ａ、液排泄部対向部Ｂ及び後方部Ｃを有しており、液排泄部対向部Ｂにおける吸収性本体６の左右両側に一対のウイング部７，７、後方部Ｃにおける吸収性本体６の左右両側に一対の後方フラップ部８，８を有している。
【０００９】
本発明の吸収性物品において、排泄部対向部Ｂは、幅方向の中央部に、着用者の液排泄部（膣口等）が対向配置される部分であり、前方部Ａは、液排泄部対向部Ｂより着用者の前側（腹側）に配される部分であり、後方部Ｂは、液排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。また、本明細書において、肌対向面は、吸収性物品又はその構成部材における着用時に着用者の肌側に向けられる面であり、非肌対向面は、吸収性物品又はその構成部材における着用時に着用者の肌側とは反対側（衣類側）に向けられる面である。
【００１０】
ナプキン１は、図３又は図４に示すように、肌対向面を形成する肌側シート２、非肌対向面を形成する非肌側シート３、及びこれら両シート２，３間に配置された吸収性コア４を備えている。肌側シート２は、液透過性の表面シート２ａ及びその両側に接合された一対の立体ガード形成用シート２ｂ，２ｂを備えている。液透過性の表面シート２ａは、吸収性本体６の幅方向の中央部に、吸収性本体６の全長に亘るように配されている。立体ガード形成用シート２ｂは、吸収性本体６の幅方向中央側に位置し外方に向かって折り返された折り返し部２１を有し、該折り返し部２１からやや幅方向の外方に位置する接合部２２において表面シート２ａ上に接合されている。立体ガード形成用シート２ｂは、立体ガードの自由端を形成する側縁部２３の近傍に立体ガード形成用の弾性部材２４を有しており、着用時には、その弾性部材２４の収縮力により、液排泄部対向部Ｂにおける前記接合部２２から側縁部２３までの間が着用者の肌側に向かって起立して立体ガード１０を形成する。
【００１１】
一対のウイング部７，７及び一対の後方フラップ部８，８は、吸収性コア４の両側縁から延出した立体ガード形成用シート２ｂ及び非肌側シート３からなる。一対のウイング部７それぞれの非肌側シート３からなる面には、ショーツのクロッチ部の非肌対向面に固定するためのウイング部粘着部７１が設けられ、吸収性本体６の非肌対向面には、該本体６をショーツの内面に固定するための本体粘着部（図示せず）が設けられている。後方フラップ部８は、着用時に、ショーツの内面（肌側に向けられる面）上に配される。後方フラップ部８の非肌側シート３からなる面にも、ショーツの内面に固定するための粘着部が設けられていることが好ましい。肌側シート２と非肌側シート３とは、吸収性コア４の周縁部より外方が接着剤で互いに接合されていると共にナプキン１の周縁部において熱シールにより接合されている。
【００１２】
ナプキン１における吸収性コア４は、パルプ繊維等の繊維材料からなる繊維集合体又は該繊維集合体に高吸水性ポリマーを保持させたものからなる。吸収性コア４は、上下両面を、ティッシュペーパーや透水性の不織布からなるコアラップシート（図示せず）によって被覆されている。コアラップシートは、吸収性コアの形成材料の漏れ出しを防止したり、吸収性コアの保形性を高める目的で使用される。肌側シート２と、吸収性コア４の肌対向面側を被覆するコアラップシートとの間、及び非肌側シート３と吸収性コア４の非肌対向面側を被覆するコアラップシートとの間は、ドット、スパイラル、ストライプ等のパターン塗工された接着剤により互いに接合されていることが好ましい。
【００１３】
図２に示すように、ナプキン１における吸収性コア４は、ナプキン１の前後方向Ｘと同方向に長い形状を有する。したがって、吸収性コア４の長手方向は、ナプキン１の前後方向Ｘと同方向であり、吸収性コア４の横方向は、ナプキン１の前後方向Ｘと直交する方向と同方向である。
また、吸収性コア４は、ナプキン１の排泄部対向部Ｂにおける幅方向Ｙの中央部に、前方中高領域４１を有するとともに、後方部Ｃにおける幅方向Ｙの中央部に後方中高領域４２を有している。
【００１４】
ナプキン１においては、表面シート２ａの下に、前方中高領域４１が存在することによって、排泄部対向部Ｂにおける肌対向面の幅方向中央部に、着用者の肌側に向かって突出する前方隆起部１１が形成されており、また、表面シート２ａの下に、後方中高領域４２が存在することによって、後方部Ｃにおける肌対向面の幅方向中央部に、着用者の肌側に向かって突出する後方隆起部１２が形成されている。後方隆起部１２は、ナプキン１の着用時に着用者の臀裂に対向配置されることが好ましい。
【００１５】
前方中高領域４１は、吸収性コア４の周辺領域４３における厚みよりも厚みが厚い領域であり、排泄部対向部Ｂに形成されている。前方中高領域４１は、排泄部対向部Ｂのみに形成されていても良いが、図１又は図２に示すように、排泄部対向部Ｂから後方部Ｃの一部に亘って延在していることが好ましい。
また、前方中高領域４１は、吸収性コア４の幅方向に延びる溝部４４によって分割されており、それによって、吸収性コア４には、吸収性コアの長手方向Ｘに沿って並んだ複数の小吸収部４５が形成されている。また、本実施形態においては、前方中高領域４１の幅方向中央部に、吸収性コア４の長手方向Ｘに延びる溝部４６が形成されており、該溝部４６によって、前方中高領域４１における小吸収部４５が、吸収性コア４の幅方向Ｙに分割されている。
【００１６】
吸収性コア４の周辺領域４３は、前方中高領域４１と後方中高領域４２とを纏めて取り囲む、環状の領域である。また、前方中高領域４１の厚みは、前方中高領域４１における溝部（溝部４４や溝部４６）以外の部分の厚みであり、小吸収部４５の厚みと同じである。前方中高領域４１の厚みと比較する吸収性コア４の周辺領域４３の厚みは、吸収性コア４の周辺領域４３における、前方中高領域４１の左右両側に位置する部分の厚みであり、本実施形態におけるように、吸収性コア４の周辺領域４３にも、吸収性コア４の幅方向Ｙに延びる溝部５１や吸収性コア４の長手方向Ｙに延びる溝部５２等の溝部が形成されている場合には、そのような溝部が存在しない部分における厚みである。
【００１７】
前方中高領域４１の厚みは、ナプキン１の肌対向面に、肌に向かって突出する前方隆起部１１を形成して排泄部対向部Ｂにおける液の吸収性等を向上させる観点等から、吸収性コア４の周辺領域４３の厚みの、好ましくは１５０％以上、より好ましくは２００％以上であり、また、好ましくは５００％以下、より好ましくは３００％以下であり、また、好ましくは１５０％以上５００％以下、より好ましくは２００％以上３００％以下である。また、前方中高領域４１の厚みと吸収性コア４の周辺領域４３の厚みとの厚みの差（前者−後者）は、好ましくは２ｍｍ以上、より好ましくは３．５ｍｍ以上であり、また、好ましくは８ｍｍ以下、より好ましくは６ｍｍ以下であり、また、好ましくは２ｍｍ以上８ｍｍ以下、より好ましくは３．５ｍｍ以上６ｍｍ以下である。
また、吸収性コア４の前方中高領域４１は、溝部４４，４６における厚みが、溝部以外の部分の厚み（前方中高領域４１及び小吸収部４５の厚みに同じ）の好ましくは６７％以下、より好ましくは４５％以下であり、また、好ましくは２５％以上、より好ましくは３５％以上であり、また、好ましくは２５％以上６７％以下、より好ましくは３５％以上４５％以下である。
なお、吸収性コアの各部における厚みは、非荷重下における吸収性物品の切断端面の写真から計測する。
【００１８】
後方中高領域４２は、吸収性コア４の周辺領域４３における厚みよりも厚みが厚い領域であり、後方部Ｃに形成されている。また、後方中高領域４２は、吸収性コア４の長手方向Ｘにおいて、前方中高領域４１よりも後方に形成されている。
後方中高領域４２も、吸収性コア４の幅方向に延びる溝部４７によって分割されており、それによって、吸収性コア４には、吸収性コアの長手方向Ｘに沿って並んだ複数の小吸収部４８が形成されている。また、本実施形態においては、後方中高領域４２には、吸収性コア４の長手方向Ｘに延びる溝部が形成されておらず、後方中高領域４１における小吸収部４８は、吸収性コア４の幅方向Ｙに分割されていない。
【００１９】
後方中高領域４２の厚みは、後方中高領域４２における溝部（溝部４７）以外の部分の厚みであり、小吸収部４８の厚みと同じである。後方中高領域４２の厚みと比較する吸収性コア４の周辺領域４３の厚みは、吸収性コア４の周辺領域４３における、後方中高領域４２の左右両側に位置する部分の厚みであり、本実施形態におけるように、吸収性コア４の周辺領域４３にも、吸収性コア４の周辺領域４３にも、吸収性コア４の幅方向Ｙに延びる溝部５１や吸収性コア４の長手方向Ｙに延びる溝部５２等の溝部が形成されている場合には、そのような溝部が存在しない部分における厚みである。
【００２０】
後方中高領域４２の厚みは、ナプキン１の肌対向面に、肌に向かって突出する後方隆起部１２を形成して、身体（好ましくは臀裂）に対するフィット性を向上させる観点等から、吸収性コア４の周辺領域４３の厚みの、好ましくは１３０％以上、より好ましくは１８０％以上であり、また、好ましくは３００％以下、より好ましくは２３０％以下であり、また、好ましくは１３０％以上３００％以下、より好ましくは１８０％以上２３０％以下である。また、後方中高領域４２の厚みと吸収性コア４の周辺領域４３の厚みとの厚みの差（前者−後者）は、好ましくは０．９ｍｍ以上、より好ましくは２．７ｍｍ以上であり、また、好ましくは４．７ｍｍ以下、より好ましくは４．０ｍｍ以下であり、また、好ましくは０．９ｍｍ以上４．７ｍｍ以下、より好ましくは２．７ｍｍ以上４．０ｍｍ以下である。
また、吸収性コア４の後方中高領域４２は、溝部４７における厚みが、溝部以外の部分の厚み（後方中高領域４２及び小吸収部４８の厚みに同じ）の好ましくは７５％以下、より好ましくは５５％以下であり、また、好ましくは３０％以上、より好ましくは４０％以上であり、また、好ましくは３０％以上７５％以下、より好ましくは４０％以上５５％以下である。
【００２１】
本実施形態における前方中高領域４１及び後方中高領域４２は、それぞれ、吸収性コア４の周辺領域４３よりも、吸収性コア４の形成材料（以下「コア材料」ともいう）の坪量を増やして形成されている。即ち、前方中高領域４１の小吸収部４５及び後方中高領域４２の小吸収部４８は、それぞれ、コア材料の坪量が、吸収性コア４の周辺領域４３における坪量よりも大きい。本実施形態における吸収性コア４は、コア材料の坪量に差を設けて厚み差を設けてあるため、坪量の均一な吸収性コアの一部を圧縮して厚み差を設ける場合とは異なり、吸収性コア４は、周辺領域４３においても全体として柔軟である。
【００２２】
また、本実施形態の吸収性コア４においては、前方中高領域４１における溝部４４，４６及び後方中高領域４２における溝部４７は、何れも、コア材料を、前方中高領域４１及び後方中高領域４２における他の部位より減らして形成されている。即ち、前方中高領域４１は、溝部４４，４６におけるコア材料の坪量が、小吸収部４５におけるコア材料の坪量よりも低くなっており、また、後方中高領域４２は、溝部４７におけるコア材料の坪量が、小吸収部４８におけるコア材料の坪量よりも低くなっている。
また、坪量の均一な部分の一部を圧縮して形成した溝部を設ける場合とは異なり、前方中高領域４１は、溝部４４，４６におけるコア材料の密度が、小吸収部４５における密度よりも低くなっており、また、後方中高領域４２も、溝部４７におけるコア材料の密度が、小吸収部４８における密度よりも低くなっている。
【００２３】
溝部４４，４６，４７におけるコア材料の坪量は、溝部とそれ以外の部分との境界を切断して切り出し、その細幅のサンプルの質量を、そのサンプルの肌対向面側の面の面積で除して求める。溝部以外の部分の坪量は、溝部４４，４６，４７以外の部分を切り出したサンプルの質量を、そのサンプルの肌対向面側の面の面積で除して求める。
【００２４】
また、本実施形態の吸収性コア４においては、図２に示すように、後方中高領域４２における小吸収部４８，４８の、吸収性コア４の長手方向Ｘにおける長さｃが、前方中高領域４１における小吸収部４５，４５・・の、吸収性コア４の長手方向Ｘにおける長さｂよりも短くなっている。他方、後方中高領域４２の溝部４４と前方中高領域４１の溝部４７とは、吸収性コア４の長手方向Ｘにおける長さが等しい。
なお、図２に示す例においては、前方中高領域４１に形成された５つの小吸収部４５は、吸収性コア４の長手方向Ｘにおける長さｂが相互に同じであり、後方中高領域４２に形成された２つの小吸収部４８も、吸収性コア４の長手方向Ｘにおける長さｃが相互に同じであるが、前方中高領域４１及び／又は後方中高領域４２に、長さが相互に異なる小吸収部が存在する場合には、前方中高領域４１の小吸収部の平均値と後方中高領域４２の小吸収部の平均値とを比較することにより、後方中高領域４２の小吸収部の長さが前方中高領域４１の小吸収部の長さより短いか否かを判断する。
【００２５】
本実施形態のナプキン１によれば、吸収性コア４が、液排泄部対向部Ｂに形成された前方中高領域４１が、溝部４４により複数の小吸収部４５に分割されるとともに、後方部Ｃに形成された後方中高領域４２も、溝部４７によって複数の小吸収部４８に分割され、後方中高領域４２の小吸収部４８の長さｃが前方中高領域４１の小吸収部４５の長さｂよりも短いため、ナプキン１の長手方向Ｘにおける、前方中高領域４１を有する部分が、着用者の液排泄部にフィットし、液排泄部から排泄された経血等の排泄液が迅速に吸収されて、優れた吸収性が発揮される。また、後方部Ｃにおける後方中高領域４２を有する部分が、図５に示すように、着用者の液排泄部より後方の曲率半径の小さい肌面形状に沿うように柔軟に湾曲して、液排泄部より後方の臀部対向部分にも良好にフィットし、それにより、液が肌の表面を伝って後方に流れることによる後ろ漏れも確実に防止される。
更に、吸収性コア４の全体を単純に薄くしたり、厚みが均一な吸収性コア４をブロック状に分割した場合とは異なり、前方中高領域４１や後方中高領域４２における厚みや坪量を維持しつつ柔軟にしたため、生理用ナプキンにヨレが生じ易くなったり、吸収性コア４が壊れたりすることもなく、また、吸収容量が不足することもない。
このように、本実施形態の生理用ナプキン１は、排泄部対向部Ｂにおける吸収性と後方部Ｃにおける柔軟性とを兼ね備え、装着時にヨレて壊れずに安定的に吸収可能であり、後ろ漏れを確実に防止することができる。
【００２６】
また、本実施形態のナプキン１は、吸収性コア４の肌対向面には、前述した溝部４４，４６，４７，５１，５２が形成されているが、吸収性コア４の非肌対向面には、それらの溝部によって分断されていない連続層５９が形成されている。連続層５９は、吸収性コア４の厚み方向の一部、より具体的には吸収性コア４の非肌対向面から一定の厚み範囲内に形成されている。
吸収性コア４が、前方中高領域の溝部４４、後方中高領域の溝部４７、及び該前方中高領域４１と該後方中高領域４２との間の中間領域５３の何れによっても分断されていない連続層５９を有するため、装着時にヨレて壊れることを防止するとともに、それぞれの小吸収部で吸収した液を連続層を通じて隣り合う小吸収部および周辺領域へ拡散しながら吸収固定することで、吸収性コア４を効率的に利用し、漏れを確実に防止することができる。
なお、中間領域５３は、図２に示すように、前方中高領域４１と該後方中高領域４２との間に位置する、厚みが、前方中高領域４１の小吸収部４５及び後方中高領域４２の小吸収部４８それぞれの厚みより薄い領域である。
【００２７】
また、本実施形態における前方中高領域４１は、溝部４４，４６におけるコア材料の坪量が、小吸収部４５におけるコア材料の坪量よりも低いため、エンボス加工等による圧縮によって形成した溝部を有する場合に比して、剛性が低く、コアの変形を妨げにくいため、柔軟性に富んだものとなる。それにより、ナプキン１は、着用者の液排泄部へのフィット性が高まり、漏れ防止性に一層優れたものとなる。
このような観点から、前方中高領域４１は、溝部４４，４６におけるコア材料の坪量が、溝部４４，４６以外の部分におけるコア材料の坪量の、好ましくは６７％以下、より好ましくは４５％以下であり、また、好ましくは２５％以上、より好ましくは３５％以上である。
【００２８】
また、本実施形態における後方中高領域４２は、溝部４７におけるコア材料の坪量が、小吸収部４８におけるコア材料の坪量よりも低いため、エンボス加工等による圧縮によって形成された溝部を有する場合に比して、剛性が低く、コアの変形を妨げにくいため、柔軟性に富んだものとなる。それにより、ナプキン１は、着用者の液排泄部より後方の曲率半径の小さい肌面形状に沿うように柔軟に湾曲して、液排泄部より後方の臀部対向部分にも良好にフィットし、後漏れ防止性に一層優れたものとなる。
このような観点から、後方中高領域４２は、溝部４７におけるコア材料の坪量が、溝部４７以外の部分におけるコア材料の坪量の、好ましくは７５％以下、より好ましくは５５％以下であり、また、好ましくは３０％以上、より好ましくは４０％以上である。
【００２９】
また、本実施形態における吸収性コア４は、後方中高領域４２における小吸収部４８の面積の平均が、前方中高領域４１における小吸収部４５の面積の平均よりも小さい。これにより、後方中高領域４１を有する後方部Ｃが、一層柔軟に変形可能なものとなり、ナプキン１は、就寝状態における後ろ漏れ防止性に一層優れたものとなる。斯かる効果がより確実に得られるようにする観点から、後方中高領域４２における小吸収部４８の面積の平均は、前方中高領域４１における小吸収部４５の面積の平均の、好ましくは９５％以下、より好ましくは９０％以下であり、また、好ましくは１５％以上、より好ましくは５０％以上であり、また、好ましくは１５％以上９５％以下、より好ましくは５０％以上９０％以下である。なお、本実施形態における前方中高領域の小吸収部４５のように、長手方向Ｘに沿う溝部４６によって小吸収部が幅方向Ｙに複数に分割されている場合、幅方向に分割された部分の個々の面積を、その小吸収部の面積とする。
【００３０】
また、本実施形態における吸収性コア４は、図２に示すように、長手方向Ｘにおける前方中高領域４１と後方中高領域４２との間に、吸収性コア４の長手方向の長さｄ（図２参照）が、前方中高領域４１の溝部４４及び後方中高領域４２の溝部４７それぞれの同方向の長さより広く、厚みが、吸収性コアの周辺領域４３における厚みと同等である中間領域５３が形成されている。
前方中高領域４１と後方中高領域４２との間に、溝部４４，４７よりも長手方向長さの大きい中間領域５３を有することによって、ナプキン１の着用中に、前方中高領域４１を有する部分の変形状態が、後方中高領域４２を有する部分の変形状態に影響することを抑制でき、前方中高領域４１による吸収性と後方部Ｃにおけるフィット性とをバランスよく向上させることができる。
更に、中間領域５３の厚みが、吸収性コア４の周辺領域４３における厚みと同等であることによって、前方中高領域４１を有する部分の変形状態が、後方中高領域４２を有する部分の変形状態に影響することを抑制する効果を奏しながら、着用中のヨレを防止することができる。
【００３１】
中間領域５３による上記の効果が一層確実に得られるようにする観点から、中間領域５３の前記長さｄ（図２参照）は、前方中高領域４１の溝部４４及び後方中高領域４２の溝部４７それぞれの同方向の長さの、２倍以上であることが好ましく、より好ましくは３倍以上であり、また、好ましくは２５倍以下、より好ましくは２０倍以下であり、また、好ましくは２倍以上２５倍以下、より好ましくは３倍以上２０倍以下である。
同様の観点から、中間領域５３の前記長さｄ（図２参照）は、好ましくは１５ｍｍ以上、より好ましくは２０ｍｍ以上であり、また、好ましくは３５ｍｍ以下、より好ましくは３０ｍｍ以下であり、また、好ましくは１５ｍｍ以上３５ｍｍ以下、より好ましくは２０ｍｍ以上３０ｍｍ以下である。また、中間領域５３の厚みが、吸収性コアの周辺領域４３における厚みと同等であるとは、中間領域５３の厚みが、吸収性コアの周辺領域４３における厚みの８０％以上１２０％以下であることを意味し、該割合は９０％以上１１０％以下であることがより好ましい。
【００３２】
本実施形態のナプキン１における吸収性本体６の肌対向面（表面シート２ａ側の面）には、図１及び図４に示すように、表面シート２ａ及び吸収性コア４が非肌側シート３側に向かって一体的に凹陥してなる線状溝６０が形成されており、該線状溝６０は、前方中高領域４１の両側を、吸収性コア４の長手方向Ｘに沿って延びる縦溝６１と、前方部Ａ及び後方部Ｃに、それぞれ横方向Ｙに延びるように形成された前方溝６２及び後方溝６３と、前方中高領域４１と後方中高領域４２との間の中間領域５３に、幅方向Ｙに延びるように形成された中間横溝６４とを有している。線状溝は、熱を伴うか又は伴わない圧搾加工（いわゆるエンボス加工）、あるいは超音波エンボス等のエンボス加工により常法に従って形成することができる。線状溝においては、表面シート２ａと吸収性コア４とが一体化（結合）している。なお、本実施形態のナプキン１及びその吸収性コア４は、図１に示すように、吸収性本体６を幅方向Ｙに２等分する中心線（図示せず）に対して左右対称に形成されている。
【００３３】
線状溝の幅（線状溝の長さ方向と直交する方向の長さ）及び深さは、この種の吸収性物品における線状溝と同様に設定すれば良い。また、線状溝における「線状」とは、溝（凹陥部）の形状が平面視において直線に限られず、曲線を含み、各線は、連続線でも破線でも良い。例えば、線状溝は、不連続な多数の点エンボスのなす列から構成されていても良い。
【００３４】
中間横溝６４は、折り曲げ誘導部として機能する。前方中高領域４１と後方中高領域４２とは、これらの間の中間領域５３に、折り曲げ誘導部として機能する中間横溝６４を有することで、中間横溝６４を起点として、装着者の体の動きに連動して別々に可動することができる。このため、前方中高領域４１と後方中高領域４２との間で、互いの変形の影響を防止する効果が高められており、漏れにくく装着者の動きを阻害しないため、快適な装着感を有する。
他方、縦溝６１、前方溝６２及び後方溝６３は、生理用ナプキン１の肌対向面と平面な方向における液の拡散を抑制して、ナプキン１の周囲から液漏れを効果的に防止することができる。なお、本実施形態における中間横溝６４（折り曲げ誘導部）は、図１に示すように、後方に向かって凸に湾曲した形状であるが、本発明における中間横溝等の折り曲げ誘導部は、幅方向Ｙに直線状に延びるものであっても良いし、前方に向かって凸に湾曲した形状のものであっても良い。
【００３５】
また、本実施形態における吸収性コア４は、前述したように、前方中高領域４１に、吸収性コアの長手方向Ｘに延びる溝部４６が形成されており、該溝部４６によって、前方中高領域における小吸収部４５が、吸収性コアの幅方向Ｙに分割されている。そのため、前方中高領域４１の液の引き込み性が一層向上しており、液漏れ防止性に一層優れている。
【００３６】
また、本実施形態における吸収性コア４は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００３７】
上述したナプキン１の吸収性コア４は、図６（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００３８】
また、図６（ａ）に示すように、集積用凹部５５の底面５６の一部には、前方中高領域４１及び前方中高領域４２を形成するための２つの凹部５６ｂ，５６ｃが形成されている。また、凹部５６ｂの底部には、前方中高領域４１に溝部４４，４６を形成するための難通気性部材５７が配置されており、凹部５６ｃの底部にも、後方中高領域４２に溝部４７に形成するための難通気性部材５７が配置されている。また、集積用凹部５５の底面５６の凹部５６ｂ，５６ｃ以外の部分には、溝部５１，５２を形成するための難通気性部材５８が形成されている。難通気性部材５７，５８は、集積用凹部５５の底面から突出するように固定されており、非通気性部材であっても良く、例えば金属やプラスチック、セラミック等からなる。
【００３９】
積繊ドラムを備えた公知の積繊装置と同様に、集積用凹部５５の底面から吸引しつつ、ダクト内に、パルプ繊維等のコア材料を供給することによって、図６（ｂ）に示すように、コア材料が集積用凹部５５内に所定形状に堆積する。その堆積物４０を、集積用凹部５５から離型することで、吸収性コア４が得られる。吸収性コア４は、コアラップシートで被覆する前又は被覆した後、一対のロール間に通すこと等により加圧し適度に圧縮させる。これにより、難通気性部材５７上に堆積したコア材料からなる部分が、坪量及び密度が相対的に小さい溝部４４，４６，４７となり、各凹部５６ｂ，５６ｃにおける難通気性部材５７を有しない底面上に堆積した部分が、坪量及び密度が相対的に大きい小吸収部４５，４８となる。同様に、凹部５６ｂ，５６ｃ以外の部分においては、難通気性部材５８上に堆積したコア材料からなる部分が、坪量及び密度が相対的に小さい溝部５１，５２となり、難通気性部材５８を有しない底面上に堆積した部分が、坪量及び密度が相対的に大きい小吸収部４５，４８となる。吸水性ポリマーを含む吸収性コアを製造する場合、ダクトの途中に吸水性ポリマーの導入部を設けることが好ましい。
【００４０】
表面シート２ａ、立体ギャザー形成用シート２ｂ、非肌側シート３、としては、当該技術分野において従来用いられてきたものと同様のものを特に制限なく用いることができる。例えば、表面シート２ａとしては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００４１】
以上、本発明をその好ましい実施形態に基づき説明したが、本発明は前記実施形態に制限されない。
例えば、上述した実施形態のナプキン１においては、前方中高領域４１の小吸収部４５が、吸収性コアの長手方向に延びる溝部４６によって幅方向に分割されていたが、本発明における前方中高領域４１の小吸収部４５は、吸収性コアの長手方向に延びる溝部によって幅方向に分割されていないものであっても良いし〔図７（ａ）参照〕、前方中高領域４１の小吸収部４５に加えて、後方中高領域４２の小吸収部４８も、吸収性コアの長手方向に延びる溝部によって分割されていても良い。また、本発明における吸収性コアは、前方中高領域４１及び後方中高領域４２が、それぞれ、横方向に延びる溝部４４，４７によって複数の小吸収部４５，４８に分割されているとともに、前方中高領域４１及び後方中高領域４２それぞれの小吸収部４５，４８が、長手方向に延びる溝部４６によって幅方向に分割されていても良い。また、その分割の態様は、図７（ｂ）に示すような態様であっても良い。
【００４２】
また、上述した実施形態のナプキン１においては、吸収性コア４の前方中高領域４１及び後方中高領域４２以外の部分に、吸収性コアの幅方向に延びる溝部５１及び吸収性コアの長手方向に延びる溝部５２が形成されていたが、それらの一方又は両方をなくすこともできる。
また、前方中高領域４１と後方中高領域４２との間の中間領域５３に形成する折り曲げ誘導部としては、中間横溝６４のような線状溝に代えて、複数個の深いくぼみを間欠的に形成する点状のエンボスを設けても良い。また、中間領域５３に、折り曲げ誘導部を設けなくても良い。
【００４３】
また、図７（ｃ）に示すように、前方中高領域４１を挟んでその両側に、吸収性コア４の幅方向の外方に膨出する側方膨出部４９，４９を形成することも好ましい。側方膨出部４９，４９の厚みは、前方中高領域４１における小吸収部４５の厚みと同一としても良いが、前方中高領域４１における小吸収部４５よりも薄くすることが好ましい。
側方膨出部４９，４９を設けることにより、装着位置が多少ズレしても十分な吸収性能が発現されるとともに、ヨレが生じにくく、違和感のなさおよび液漏れ防止性が向上する。
側方膨出部４９，４９も、吸収性コア４の幅方向に延びる溝部４４によって吸収性コア４の長手方向に分割されていることが好ましく、また、前方中高領域４１と側方膨出部４９との間には、それら両部分よりも厚みの薄い溝部を設けることが好ましい。
【００４４】
また、前方中高領域４１及び後方中高領域４２の溝部４４，４６，４７は、それぞれ、エンボス加工により、坪量の均一な前方中高領域４１及び後方中高領域４２の一部を加圧圧縮して形成したものであっても良い。また、前方中高領域４１及び後方中高領域４２以外の部分に形成する溝部５１，５２も、それぞれ、前方中高領域４１及び後方中高領域４２以外の部分を部分的に加圧圧縮して形成したものであっても良い。
【００４５】
前方中高領域４１において、吸収性コア４の長手方向Ｘに並ぶ小吸収部４５の個数（上述した実施形態では５個、図７（ｂ）に示す例では３個）は、２個以上であり、好ましくは３個以上であり、また、好ましくは１０個以下、より好ましくは５個以下である。
後方中高領域４２において、吸収性コア４の長手方向Ｘに並ぶ小吸収部４８の個数（上述した実施形態では２個）は、２個以上であり、また、好ましくは５個以下、より好ましくは３個以下である。
【００４６】
また、本実施形態のナプキン１のように、吸収性コア４の前方中高領域４１と後方中高領域４２それぞれの幅方向外方部及び前後方向における周辺領域に、溝部４４，４６，４７と同一線上に位置する横溝又は縦溝が存在していると、体液の拡散性が良好となること、また、着用時の動作への追従性が高まるので好ましい。
【００４７】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、高吸水性ポリマー以外に、消臭剤や抗菌剤等を必要に応じて配合しても良い。
【００４８】
また、本発明の吸収性物品は、生理用ナプキンの他、パンティライナー（おりものシート）、失禁パッド、使い捨ておむつ等の他の吸収性物品であっても良い。上述した一の実施形態における説明省略部分及び一の実施形態のみが有する要件は、それぞれ他の実施形態に適宜適用することができ、また、各実施形態における要件は、適宜、実施形態間で相互に置換可能である
【００４９】
上述した実施形態に関し、本発明は更に以下の吸収性物品を開示する。
＜１＞  吸収性物品の前後方向に長い形状の吸収性コアを備え、着用者の液排泄部に対向配置される排泄部対向部及び該排泄部対向部より後方に配される後方部を有する吸収性物品であって、前記吸収性コアは、前記排泄部対向部における幅方向の中央部に前方中高領域を有するとともに、前記後方部における幅方向の中央部に後方中高領域を有しており、前記前方中高領域及び前記後方中高領域は、それぞれ、吸収性コアの周辺領域における厚みよりも厚みが厚く、それぞれ、該吸収性コアの幅方向に延びる溝部によって分割され、該吸収性コアの長手方向に沿って並んだ複数の小吸収部が形成されており、前記後方中高領域における前記小吸収部の前記長手方向における長さが、前記前方中高領域における前記小吸収部の該長手方向における長さよりも短い、吸収性物品。
＜２＞  前記吸収性コアは、面方向全体に亘って分断されていない連続層を備えている、前記＜１＞記載の吸収性物品。
＜３＞  前記前方中高領域及び前記後方中高領域は、それぞれ、前記溝部における、前記吸収性コアの形成材料の坪量が、前記小吸収部における、該吸収性コアの形成材料の坪量よりも低い、前記＜１＞又は＜２＞に記載の吸収性物品。
＜４＞  前記後方中高領域における前記小吸収部の面積の平均が、前記前方中高領域における前記小吸収部の面積の平均よりも小さい、前記＜１＞〜＜３＞の何れか１つに記載の吸収性物品。
＜５＞  前記吸収性コアの長手方向における前記前方中高領域と前記後方中高領域との間に、該吸収性コアの長手方向の長さが、前記前方中高領域の溝部及び前記後方中高領域の溝部それぞれよりも該長手方向の方向の長さより長く、厚みが、前記吸収性コアの周辺領域における厚みと同等の中間領域が形成されている、前記＜１＞〜＜４＞の何れか１つに記載の吸収性物品。
＜６＞  前記中間領域に、前記吸収性コアの幅方向に延在する折り曲げ誘導部が形成されている前記＜５＞に記載の吸収性物品。
＜７＞  前記前方中高領域に、前記吸収性コアの長手方向に延びる溝部が形成されており、該溝部によって、前記前方中高領域における前記小吸収部が、吸収性コアの幅方向に分割されている、前記＜１＞〜＜６＞の何れか１つに記載の吸収性物品。
＜８＞  前記後方中高領域には、前記吸収性コアの長手方向に延びる溝部が形成されていない、前記＜１＞〜＜７＞の何れか１つに記載の吸収性物品。
＜９＞  前記前方中高領域を挟んでその両側に、吸収性コアの幅方向の外方に膨出する側方膨出部が形成されている、前記＜１＞〜＜８＞の何れか１つに記載の吸収性物品。
＜１０＞  前記吸収性コアの周辺領域には、幅方向に延びる溝が配置され、該溝では前記周辺領域における該溝部以外の部分より吸収性コアの形成材料の坪量が低い、前記＜１＞〜＜９＞の何れか１つに記載の吸収性物品。
【００５０】
＜１１＞  前記吸収性コアの周辺領域には、長手方向に延びる溝が配置され、該溝では前記周辺領域における該溝部以外の部分より吸収性コアの形成材料の坪量が低い、前記＜１＞〜＜１０＞の何れか１つに記載の吸収性物品。
＜１２＞  前記後方中高領域は、前記前方中高領域よりも幅方向長さが小さい、前記＜１＞〜＜１１＞の何れか１つに記載の吸収性物品。
＜１３＞  前記中間領域には、幅方向に延びる溝が配置され、該溝では前記周辺領域における該溝部以外の部分より吸収性コアの形成材料の坪量が低い、前記＜１＞〜＜１２＞の何れか１つに記載の吸収性物品。
＜１４＞  前記中間領域には、長手方向に延びる溝が配置され、該溝では前記周辺領域における該溝部以外の部分より吸収性コアの形成材料の坪量が低い、前記＜１＞〜＜１３＞の何れか１つに記載の吸収性物品。
＜１５＞  前記前方中高領域の前記長手方向に延びる溝は、前記周辺領域及び前記中間領域の長手方向に延びる溝と同一線上に存在しており、前記後方中高領域は、少なくともその１本の前記同一線上に位置している、前記＜１＞〜＜１４＞の何れか１つに記載の吸収性物品。
＜１６＞  前記後方中高領域の前記幅方向に延びる溝部は、前記周辺領域の幅方向に延びる溝と同一線上にある、前記＜１＞〜＜１５＞の何れか１つに記載の吸収性物品。
＜１７＞  前記吸収性コアは一体成形により構成されている、前記＜１＞〜＜１６＞の何れか１つに記載の吸収性物品。
＜１８＞  前記後方部における前記周辺領域では、幅方向に延びる溝と長手方向に延びる溝によって吸収性コアが後方周辺領域小吸収部に区画されており、該後方周辺領域小吸収部よりも、後方中高領域の小吸収部の方が面積が小さい、前記＜１＞〜＜１７＞の何れか１つに記載の吸収性物品。
＜１９＞  前記前方中高領域と前記後方中高領域は、その外側周囲を線状の圧搾溝によって包囲されている、前記＜１＞〜＜１８＞の何れか１つに記載の吸収性物品。
＜２０＞  前記吸収性物品の排泄部対向領域における幅方向両外側に一対のウイング部を備えている、前記＜１＞〜＜１９＞の何れか１つに記載の吸収性物品。
【００５１】
＜２１＞  前記側方膨出部が前記一対のウイング部と長手方向において重なる領域に配されている、前記＜１＞〜＜２０＞の何れか１つに記載の吸収性物品。
＜２２＞  前記吸収性物品が前記後方部の幅方向後方部に後方フラップ部を有している、前記＜１＞〜＜２１＞の何れか１つに記載の吸収性物品。
＜２３＞  吸収性物品の前後方向に沿う左右両側に、着用者側へ向かって起立可能な立体ガードを備える、前記＜１＞〜＜２２＞の何れか１つに記載の吸収性物品。
＜２４＞  前記立体ガードは、排泄部対向部においては起立可能とされており、後方部においては、立体ガード形成シートが表面シートに固定されて起立困難になされる部分を備えている、前記＜２３＞に記載の吸収性物品。
＜２５＞  前記立体ガードの起立困難な部分と前後方向で重なる領域に、前記後方中高領域が配されている、前記＜２３＞又は＜２４＞の何れか１つに記載の吸収性物品。
＜２６＞  前記吸収性物品が全長３０ｃｍ以上の生理用ナプキンである、前記＜１＞〜＜２５＞の何れか１つに記載の吸収性物品。
【符号の説明】
【００５２】
１  生理用ナプキン（吸収性物品）
２  肌側シート
２ａ  表面シート
２ｂ  立体ガード形成用シート
３  非肌側シート
４  吸収性コア
４１  前方中高領域
４４，４６  溝部
４５  小吸収部
４２  後方中高領域
４７  溝部
４８  小吸収部
４３  周辺領域
４９  側方膨出部
５３  中間領域
５９  連続層
６  吸収性本体
６４  中間横溝
７  ウイング部
８  後方フラップ部
１０  立体ガード
１１  前方隆起部
１２  後方隆起部
Ａ  前方部
Ｂ  液排泄部対向部
Ｃ  後方部
【図１】
2015097715.tif 000003
【図２】
2015097715.tif 000004
【図３】
2015097715.tif 000005
【図４】
2015097715.tif 000006
【図５】
2015097715.tif 000007
【図６】
2015097715.tif 000008
【図７】
2015097715.tif 000009